(57)【要約】【課題】画像表示装置において、効率的且つ効果的な画像表示を実現しつつ表示品質の低下を抑制する。【解決手段】複数の部分画像情報に夫々対応する複数の部分画像情報光を含む画像情報光を出射する出射手段と、前記出射された画像情報光が入射され、前記複数の部分画像情報光を利用者（１）の眼球の向きに対応付けられた複数の位置に夫々集光する光学素子とを備え、前記集光された複数の部分画像情報光のうち、前記利用者の瞳孔を通過する部分画像情報光を前記利用者の網膜に照射することにより、該照射された部分画像情報光に対応する前記部分画像情報を利用者に視認させる画像表示装置（１０）は、基準方向に対する前記利用者の頭部の回転量を検出する回転量検出手段（３００）と、前記検出された回転量に応じて前記複数の部分画像情報光の各々の照射領域を制御する制御手段（１００）とを具備する。【選択図】図１２
2014056017.tif 000002
【特許請求の範囲】
【請求項１】
複数の部分画像情報に夫々対応する複数の部分画像情報光を含む画像情報光を出射する出射手段と、
前記出射された画像情報光が入射され、前記複数の部分画像情報光を利用者の眼球の向きに対応付けられた複数の位置に夫々集光する光学素子と
を備え、
前記集光された複数の部分画像情報光のうち、前記利用者の瞳孔を通過する部分画像情報光を前記利用者の網膜に照射することにより、該照射された部分画像情報光に対応する前記部分画像情報を利用者に視認させる画像表示装置であって、
基準方向に対する前記利用者の頭部の回転量を検出する回転量検出手段と、
前記検出された回転量に応じて前記複数の部分画像情報光の各々の照射領域を制御する制御手段と
を具備することを特徴とする画像表示装置。
【請求項２】
前記利用者の頭部の回転量に基づいて、前記複数の部分画像情報のうち前記利用者の意思に沿った一の部分画像情報を決定する決定手段を具備し、
前記制御手段は、前記決定された一の部分画像情報に係る前記部分画像情報光の照射領域と干渉しないように、他の前記部分画像情報に係る前記部分画像情報光の照射領域を減少させる
ことを特徴とする請求項１に記載の画像表示装置。
【請求項３】
前記制御手段は、前記決定された一の部分画像情報に係る部分画像情報光の照射領域を予め設定される最大値に制御する
ことを特徴とする請求項２に記載の画像表示装置。
【請求項４】
前記決定手段は、前記検出された回転量の絶対値が第１基準値未満である場合に、前記基準方向に対応する前記部分画像情報を前記利用者の意思に沿った一の部分画像情報と決定する
ことを特徴とする請求項２又は３に記載の画像表示装置。
【請求項５】
前記決定手段は、前記検出された回転量の絶対値が第２基準値以上である場合に、前記基準方向に対応する前記部分画像情報に対して順回転方向に隣り合う前記部分画像情報を、前記利用者の意思に沿った一の部分画像情報と決定する
ことを特徴とする請求項２から４のいずれか一項に記載の画像表示装置。
【請求項６】
前記基準方向は、前記利用者の身体正面方向である
ことを特徴とする請求項１から５のいずれか一項に記載の画像表示装置。
【請求項７】
複数の部分画像情報に夫々対応する複数の部分画像情報光を含む画像情報光が出射される出射工程と、
前記出射された画像情報光が光学素子に入射される入射工程と、
前記光学素子を介して前記複数の部分画像情報光が利用者の眼球の向きに対応付けられた複数の位置に夫々集光される集光工程と、
前記集光された複数の部分画像情報光のうち、前記利用者の瞳孔を通過する部分画像情報光が前記利用者の網膜に照射される照射工程と、
基準方向に対する前記利用者の頭部の回転量が検出される回転量検出工程と、
前記検出された回転量に応じて前記複数の部分画像情報光の各々の照射領域が制御される制御工程と
を具備することを特徴とする画像表示方法。
【請求項８】
複数の部分画像情報に夫々対応する複数の部分画像情報光を含む画像情報光を出射する出射手段と、
前記出射された画像情報光が入射され、前記複数の部分画像情報光を利用者の眼球の向きに対応付けられた複数の位置に夫々集光する光学素子と、
基準方向に対する前記利用者の頭部の回転量を検出する回転量検出手段と
を備え、
前記集光された複数の部分画像情報光のうち、前記利用者の瞳孔を通過する部分画像情報光を前記利用者の網膜に照射することにより、該照射された部分画像情報光に対応する前記部分画像情報を利用者に視認させる画像表示装置における、画像表示制御装置であって、
前記検出された回転量に応じて前記複数の部分画像情報光の各々の照射領域を制御する制御手段を具備することを特徴とする画像表示制御装置。
【請求項９】
コンピュータ装置を請求項１から６のいずれか一項に記載の制御手段として機能させることを特徴とするコンピュータプログラム。
【請求項１０】
請求項９に記載のコンピュータプログラムが記録されていることを特徴とする記録媒体。
【発明の詳細な説明】
【技術分野】
【０００１】
本発明は、例えばＨＭＤ（Head Mount Display）等に用いられて好適な画像表示装置、画像表示方法、画像表示制御装置、コンピュータプログラム及び記録媒体の技術分野に関する。
【背景技術】
【０００２】
この種の装置として、車両用ヘッドマウントディスプレイ装置が提案されている（例えば、特許文献１参照）。この装置によれば、ヘッドマウントディスプレイ装置をドライバが被った状態において、運転者の頭の位置又は視線の動きに外部情景撮影手段の撮影方向が連動する構成となっている。このため、ピラー等による運転者の死角方向の画像を、運転者の視線方向の外部情景画像に重合させて表示することができ、安全運転に繋がるとされている。
【０００３】
また、特許文献２には、頭部の動きをＨＭＤに搭載されたジャイロセンサで検出し、検出された角速度と閾値との比較結果に応じて第１の処理と第２の処理とを切り替える制御装置が開示されている。
【先行技術文献】
【特許文献】
【０００４】
【特許文献１】特開平１０−２０６７８９号公報
【特許文献２】特開２００９−１２３０４２号公報
【発明の概要】
【発明が解決しようとする課題】
【０００５】
利用者の視線の動きに応じて表示内容を変化させる技術思想を有する装置として、各々が利用者の視線方向に対応付けられている複数の表示スポットを形成し、該複数の表示スポット内に画像情報を表示させるマルチスポット型の画像表示装置がある。この装置では、複数の画像情報に夫々対応する複数の画像情報光を相互に異なる位置に集光させ、利用者の視線の向きに応じて利用者の瞳孔を通過する画像情報光を異ならしめることにより、視線の向きに応じて異なる画像情報を利用者に視認させる構成となっている。
【０００６】
このマルチスポット型の画像表示装置では、利用者の視線の向きに応じて、理想的には一の表示スポットの画像情報が視認される。しかしながら、表示スポット同士が隣接していると、利用者がこの隣接する表示スポットの境界付近に視線を向けた場合等に、視認される表示スポットが交互に切り替わることによって表示される画像情報がばたついたり、複数の表示スポットの画像情報が同時に視認されたりすることがある。このような画像情報の相互干渉は、利用者の疲労や集中力の低下を促すことから、画像情報の表示品質を低下させる要因となる。
【０００７】
このような画像情報の相互干渉は、無論、表示スポット同士を十分な間隔を隔てて形成すれば防ぎ得る。然るに、このように表示スポットを形成してしまうと、利用者の視野領域を画像情報の表示に効率的に利用することが難しくなる。特に、画像表示装置をＡＲ（Augmented Reality：拡張現実）の分野で利用しようとした場合には、画像情報を重ね合わせることのできる対象物が限定されることから、十分なＡＲを実現することが難しくなる。
【０００８】
ここで、効率的且つ効果的な画像情報表示を実現するにあたっての表示品質の低下は、マルチスポット型の画像表示装置に特有の技術的問題点であり、利用者の視線や頭部の動きに応じてソフトウェア的に表示内容を切り替えるに過ぎない上記先行技術文献に記載の装置においては、元より考慮する必要がない問題であると言える。従って、上記先行技術文献からは、上記技術的問題点を解決に導くための方策について、その示唆すら得ることが出来ない。
【０００９】
本発明は上述した技術的問題点に鑑みてなされたものであり、効率的且つ効果的な画像表示を実現しつつ表示品質の低下を抑制し得る画像表示装置、画像表示方法、画像表示制御装置、コンピュータプログラム及び記録媒体を提供することを課題とする。
【課題を解決するための手段】
【００１０】
上述した課題を解決するため、請求項１の画像表示装置は、複数の部分画像情報に夫々対応する複数の部分画像情報光を含む画像情報光を出射する出射手段と、前記出射された画像情報光が入射され、前記複数の部分画像情報光を利用者の眼球の向きに対応付けられた複数の位置に夫々集光する光学素子とを備え、前記集光された複数の部分画像情報光のうち、前記利用者の瞳孔を通過する部分画像情報光を前記利用者の網膜に照射することにより、該照射された部分画像情報光に対応する前記部分画像情報を利用者に視認させる画像表示装置であって、基準方向に対する前記利用者の頭部の回転量を検出する回転量検出手段と、前記検出された回転量に応じて前記複数の部分画像情報光の各々の照射領域を制御する制御手段とを具備することを特徴とする。
【００１１】
上述した課題を解決するため、請求項７の画像表示方法は、複数の部分画像情報に夫々対応する複数の部分画像情報光を含む画像情報光が出射される出射工程と、前記出射された画像情報光が光学素子に入射される入射工程と、前記光学素子を介して前記複数の部分画像情報光が利用者の眼球の向きに対応付けられた複数の位置に夫々集光される集光工程と、前記集光された複数の部分画像情報光のうち、前記利用者の瞳孔を通過する部分画像情報光が前記利用者の網膜に照射される照射工程と、基準方向に対する前記利用者の頭部の回転量が検出される回転量検出工程と、前記検出された回転量に応じて前記複数の部分画像情報光の各々の照射領域が制御される制御工程とを具備することを特徴とする。
【００１２】
上述した課題を解決するため、請求項８の画像表示制御装置は、複数の部分画像情報に夫々対応する複数の部分画像情報光を含む画像情報光を出射する出射手段と、前記出射された画像情報光が入射され、前記複数の部分画像情報光を利用者の眼球の向きに対応付けられた複数の位置に夫々集光する光学素子と、基準方向に対する前記利用者の頭部の回転量を検出する回転量検出手段とを備え、前記集光された複数の部分画像情報光のうち、前記利用者の瞳孔を通過する部分画像情報光を前記利用者の網膜に照射することにより、該照射された部分画像情報光に対応する前記部分画像情報を利用者に視認させる画像表示装置における、画像表示制御装置であって、前記検出された回転量に応じて前記複数の部分画像情報光の各々の照射領域を制御する制御手段を具備することを特徴とする。
【００１３】
上述した課題を解決するため、請求項９のコンピュータプログラムは、コンピュータ装置を請求項１から６のいずれか一項に記載の制御手段として機能させることを特徴とする。
【００１４】
上述した課題を解決するため、請求項１０の記録媒体は、請求項９に記載のコンピュータプログラムが記録されていることを特徴とする。
【図面の簡単な説明】
【００１５】
【図１】本発明の第１実施例に係る画像表示装置の概念図である。
【図２】図１の画像表示装置における表示ユニットの構成を概略的に示した図である。
【図３】図２の表示ユニットにおけるホログラム素子を介した画像情報光の集光状態の模式図である。
【図４】利用者の視野における各部分画像情報の表示態様を説明する図である。
【図５】表示スポットの他の例を概念的に表す図である。
【図６】頭部回転角の定義に係り、利用者を上から見た図である。
【図７】頭部回転角の他の定義に係り、利用者を側方から見た図である。
【図８】図１の画像表示装置における制御装置のブロック図である。
【図９】実際の表示スポットの配置を示す図である。
【図１０】網膜直接投影装置における画像情報表示上の問題点を例示する図である。
【図１１】制御装置により実行される表示制御処理のフローチャートである。
【図１２】頭部回転角θｈ＝０°の場合の各表示スポットの表示画像を示す図である。
【図１３】頭部回転角の絶対値｜θｈ｜＝３０°の場合の各表示スポットの表示画像を示す図である。
【図１４】頭部回転角の絶対値｜θｈ｜＝６０°の場合の各表示スポットの表示画像を示す図である。
【図１５】本発明の第２実施例に係る第１及び第２表示スポットの模式図である。
【図１６】第２実施例に係る表示変化量ｙの変化特性を示す図である。
【図１７】表示スポットの変形例を例示する図である。
【図１８】本発明の第３実施例に係り、利用者の視野における表示スポットの様子を説明する図である。
【図１９】第３実施例の動作に係り、図１８の表示スポットにおける画像情報の表示例を説明する図である。
【発明を実施するための形態】
【００１６】
＜画像表示装置の実施形態＞
【００１７】
本発明の画像表示装置に係る実施形態は、複数の部分画像情報に夫々対応する複数の部分画像情報光を含む画像情報光を出射する出射手段と、前記出射された画像情報光が入射され、前記複数の部分画像情報光を利用者の眼球の向きに対応付けられた複数の位置に夫々集光する光学素子とを備え、前記集光された複数の部分画像情報光のうち、前記利用者の瞳孔を通過する部分画像情報光を前記利用者の網膜に照射することにより、該照射された部分画像情報光に対応する前記部分画像情報を利用者に視認させる画像表示装置であって、基準方向に対する前記利用者の頭部の回転量を検出する回転量検出手段と、前記検出された回転量に応じて前記複数の部分画像情報光の各々の照射領域を制御する制御手段とを具備する。
【００１８】
画像表示装置は、出射手段及び光学素子（例えば、ホログラム素子）を備え、光学素子を介した画像情報光を利用者の網膜に投影させることで利用者に画像情報を視認させる。尚、「画像情報」とは、文字、画像及び映像等、利用者に視覚的に訴求し得る各種の実践的態様を伴う情報として定義される。
【００１９】
この画像表示装置において、画像情報光は、複数の部分画像情報光を含んで構成される。複数の部分画像情報光の各々は、光学素子の機能によって、利用者の眼球の向きに対応付けられた、相互に異なる複数の位置に集光される。このため、利用者の眼球の向きに応じて利用者の瞳孔を通過する部分画像情報光が切り替わることとなり、理想的には複数の部分画像情報光のうち利用者の眼球の向きに応じた一の部分画像情報光が網膜に照射され、視認される。
【００２０】
例えば、部分画像情報が、利用者の視野領域において、ある方向に配列している場合、利用者が視線のみを当該配列方向に動かせば、利用者はこの部分画像情報を順次視認することができる。
【００２１】
尚、この視認される画像情報は、利用者の網膜に画像情報光が直接照射されることによって視認されるため、余人に視認されることはないが、これ以降、適宜「表示」或いは「表示される」等の表現も用いることとする。
【００２２】
ところで、この画像表示装置では、複数の部分画像情報の各々について、光学素子の物理的特性に起因する表示領域の最大値、即ち最大表示領域がある。最大表示領域とは、即ち、部分画像情報光の各々の最大照射領域と等価である。これ以降、この最大表示領域を規定する一表示単位を適宜「表示スポット」と呼称する。
【００２３】
この画像表示装置では、表示スポットの外に画像情報を表示することはできないが、表示スポットの個数や形状は自由に設計することができる。画像表示装置を効率的且つ効果的に機能せしめる観点から言えば、表示スポット同士は可能な限り近接配置されているのが望ましい。端的には、表示スポット同士が隙間無く隣接しているのが望ましい。
【００２４】
ところが、このように表示スポット同士が近接配置されている場合、利用者が相互いに隣り合う複数の表示スポットの境界付近に視線を向けると、利用者が本来視認している表示スポットの部分画像情報に加えて、隣の表示スポットの部分画像情報が断続的に或いは連続的に視認される可能性が高くなる。このような部分画像情報同士の相互干渉は、上述したように、利用者の疲労や集中力の低下を促す等、画像表示装置における画像情報の表示品質を低下させる要因となる。
【００２５】
ここで、利用者の視線の向きを簡易に検出することは一般的に容易ではないが、頭部の向きと視線の向きとの間には相関がある。具体的には、例えば、利用者の頭部が左方向（又は右方向）にある程度（例えば、３０°以上）回転している場合、利用者の視線は、頭部正面に対し、先ず右（又は左）には向かない。また、利用者の頭部が左方向（又は右方向）に大きく（例えば、６０°以上）回転している場合、利用者の視線は、頭部正面に対し、左（又は右）を向くことが多い。左右を上下に置き換えてもまた同様である。
【００２６】
この画像表示装置は、係る相関を利用しており、回転量検出手段により検出される利用者の頭部の回転量を、利用者の視線の向きを推定するための指標として部分画像情報の表示制御に利用する構成となっている。
【００２７】
回転量検出手段は、基準方向に対する利用者の頭部の回転量を検出する。回転量とは、好適には回転角であるが、頭部の回転の度合いと一対一、一対多、多対一又は多対多に対応し得る他の物理量や制御量であってもよい。また、回転の方向は、左右方向、上下方向或いはそれらが組み合わさった方向等、特に限定されない趣旨である。回転量検出手段としては、ジャイロセンサ等を利用することができる。
【００２８】
この画像表示装置では、複数の部分画像情報光の各々の照射領域が、上記の如く検出される利用者の頭部の回転量に応じて制御される。部分画像情報光の照射領域とは、一義的に一の表示スポット内における部分画像情報の表示領域を意味する。また、「領域」と表現すると、面積概念と捉えられ得るが、少なくともここで述べられる「領域」とは、表示スポットの面積に対する部分画像情報の占める割合等の他に、部分画像情報の大きさ、データサイズ又は情報量或いは表示される部分画像情報の外郭を繋いだ包絡線の内側の面積等、多様な基準で定義され得る包括概念である。
【００２９】
このように、利用者の頭部の回転量を利用者の意思としての視線の向きを推定する指標として利用することにより、この画像表示装置では、利用者の意思に沿った表示スポットを他の表示スポットとの干渉を排除しつつ利用者に提示することや、利用者の意思に沿わない表示スポットを一時的に表示から除外すること等が可能となる。即ち、効率的且つ効果的な画像表示を、利用者が視認している部分画像情報の表示品質を維持しつつ実現することができる。
【００３０】
補足すると、頭部の回転量や視線の動きに応じて表示画像を制御する技術思想は、上記先行技術文献にも例示される通り従来周知である。しかしながら、この画像表示装置は、複数の部分画像情報のうち利用者に視認される画像が、利用者の視線の向きに応じて装置側の制御を受けることなく自発的に切り替わる構成を有する。即ち、その時点で利用者が視認している画像は、光源から網膜へ至る画像表示の過程において、画像表示装置側では一切認識されない。
【００３１】
このため、画像の表示効率と表示品質とが背反の関係にならざるを得ない。この画像表示装置では、利用者の頭部の回転量を利用者の意思として利用し、表示スポットの配置態様を最適化（例えば、隣接配置）して表示効率を確保しつつ、表示スポット間の表示画像の相対関係をフレキシブルに変化させることにより表示品質を担保しているのである。
【００３２】
実施形態の一態様では、前記利用者の頭部の回転量に基づいて、前記複数の部分画像情報のうち前記利用者の意思に沿った一の部分画像情報を決定する決定手段を具備し、前記制御手段は、前記決定された一の部分画像情報に係る前記部分画像情報光の照射領域と干渉しないように、他の前記部分画像情報に係る前記部分画像情報光の照射領域を減少させる。
【００３３】
この態様によれば、他の部分画像情報光の照射領域を減少させることにより、利用者の意思に沿った（即ち、利用者に優先的に視認させるべき）一の部分画像情報と、当該他の部分画像情報光との相互干渉を防ぎつつ、当該一の部分画像情報の表示効果を確保することができる。
【００３４】
尚、「干渉しないように」とは、具体的には、当該一の部分画像情報の周縁部へ視線を向けた場合に、隣り合う表示スポットの部分画像情報が視認され難い（即ち、部分画像情報光が瞳孔を通過し難い）ことを意味し、実践的には、隣り合う表示スポットの部分画像情報が、ある程度の間隔を隔てて表示されることを意味する。
【００３５】
決定手段を備えた実施形態の一態様では、前記制御手段は、前記決定された一の部分画像情報に係る部分画像情報光の照射領域を予め設定される最大値に制御する。
【００３６】
この態様によれば、利用者の意思に沿った部分画像情報が、表示スポットを最大限に利用して表示される。従って、利用者にとって有益な画像表示が実現される。
【００３７】
決定手段を備えた実施形態の他の態様では、前記決定手段は、前記検出された回転量の絶対値が第１基準値未満である場合に、前記基準方向に対応する前記部分画像情報を前記利用者の意思に沿った一の部分画像情報と決定する。
【００３８】
この態様によれば、頭部の回転量が相対的にみて大きくない場合には、利用者が概ね基準方向を注視しているとの判断から、基準方向に対応する部分画像情報が、利用者の意思に沿った部分画像情報として決定される。
【００３９】
従って、例えば、利用者が無意識に頭部を揺らしているに過ぎない場合等において、個々の部分画像情報光の照射領域の頻繁な変化が抑制された安定した表示を実現することができる。
【００４０】
決定手段を備えた実施形態の他の態様では、前記決定手段は、前記検出された回転量の絶対値が第２基準値以上である場合に、前記基準方向に対応する前記部分画像情報に対して順回転方向に隣り合う前記部分画像情報を、前記利用者の意思に沿った一の部分画像情報と決定する。
【００４１】
この態様によれば、頭部の回転量が第２基準値（上記第１基準値と併用される場合には、第１基準値よりも大きい値である）以上である場合には、利用者が基準方向に対応する部分画像情報以外の部分画像情報に視線を向けていると判断される。
【００４２】
即ち、基準方向に対応する部分画像情報と順回転方向に隣り合う（即ち、左に回頭した場合には左隣を意味する）他の部分画像情報が、利用者の意思に沿った部分画像情報として決定される。従って、利用者が基準方向に対応する部分画像情報以外の他の部分画像情報を視認している場合にも、利用者の意思に沿った画像表示を実現することができる。
【００４３】
実施形態の他の態様では、前記基準方向は、前記利用者の身体正面方向である。
【００４４】
例えば車載装置としてこの画像表示装置を利用する場合、利用者は着座し且つシートベルトを装着しており、利用者の身体は正面を向いている。このような、利用者の身体の向きが必然的に正面方向に定まり得る状況においては、基準方向を利用者の身体正面方向とすることによって、基準方向に対する頭部の回転量を単純に頭部の回転量に帰結させることができる。即ち、回転量検出手段の構成を簡素化することが可能となる。
【００４５】
＜画像表示方法の実施形態＞
【００４６】
本発明の画像表示方法に係る実施形態は、複数の部分画像情報に夫々対応する複数の部分画像情報光を含む画像情報光が出射される出射工程と、前記出射された画像情報光が光学素子に入射される入射工程と、前記光学素子を介して前記複数の部分画像情報光が利用者の眼球の向きに対応付けられた複数の位置に夫々集光される集光工程と、前記集光された複数の部分画像情報光のうち、前記利用者の瞳孔を通過する部分画像情報光が前記利用者の網膜に照射される照射工程と、基準方向に対する前記利用者の頭部の回転量が検出される回転量検出工程と、前記検出された回転量に応じて前記複数の部分画像情報光の各々の照射領域が制御される制御工程とを具備する。
【００４７】
画像表示方法の実施形態では、各工程の作用により、上記画像表示装置の実施形態と同様に効率的且つ効果的な画像表示が実現される。
【００４８】
＜画像表示制御装置の実施形態＞
【００４９】
本発明の画像表示制御装置に係る実施形態は、複数の部分画像情報に夫々対応する複数の部分画像情報光を含む画像情報光を出射する出射手段と、前記出射された画像情報光が入射され、前記複数の部分画像情報光を利用者の眼球の向きに対応付けられた複数の位置に夫々集光する光学素子と、基準方向に対する前記利用者の頭部の回転量を検出する回転量検出手段とを備え、前記集光された複数の部分画像情報光のうち、前記利用者の瞳孔を通過する部分画像情報光を前記利用者の網膜に照射することにより、該照射された部分画像情報光に対応する前記部分画像情報を利用者に視認させる画像表示装置における、画像表示制御装置であって、前記検出された回転量に応じて前記複数の部分画像情報光の各々の照射領域を制御する制御手段を具備する。
【００５０】
画像表示制御装置の実施形態では、制御手段の作用により、出射手段、光学素子及び回転量検出手段を備えた画像表示装置において効率的且つ効果的な画像表示が実現される。尚、この画像表示制御装置は、出射手段、光学素子及び回転量検出手段を含む画像表示装置と組み合わせることにより、上記画像表示装置の実施形態と同等の構成となり得る。
【００５１】
＜コンピュータプログラムの実施形態＞
【００５２】
本発明のコンピュータプログラムに係る実施形態は、コンピュータシステムを、上記いずれかの画像表示装置における制御手段として機能させる。
【００５３】
当該コンピュータプログラムを格納するＲＯＭ、ＣＤ−ＲＯＭ、ＤＶＤ−ＲＯＭ、ハードディスク等の記録媒体或いはＵＳＢ（Universal Serial Bus）メモリ等コンピュータシステムに着脱可能な固体型記憶装置から、当該コンピュータプログラムをコンピュータシステムに読み込んで実行させれば、或いは、当該コンピュータプログラムを、例えば、通信手段等を介してコンピュータシステムにダウンロードさせた後に実行させれば、上述した本発明の画像表示装置に係る実施形態を比較的簡単に実現できる。
【００５４】
尚、上述した本発明の画像表示装置に係る実施形態における各種態様に対応して、本発明のコンピュータプログラムに係る実施形態も各種態様を採ることが可能である。
【００５５】
＜記録媒体の実施形態＞
【００５６】
本発明のコンピュータプログラムに係る実施形態は、コンピュータプログラムに係る実施形態を記録する。
【００５７】
本発明の記録媒体に係る実施形態によれば、コンピュータシステムに装着又は接続することによって、或いはコンピュータシステムに備わる又は接続された然るべき読取装置に挿入することによって、記録している本発明のコンピュータプログラムに係る実施形態を、コンピュータシステムに読み込ませて実行させることができ、上述した本発明の画像表示装置における制御手段を比較的簡単に実現できる。
【００５８】
本発明のこのような作用及び他の利得は次に説明する実施例から明らかにされる。
【実施例】
【００５９】
以下、適宜図面を参照して、本発明の好適な各種実施例について説明する。
【００６０】
＜第１実施例＞
まず、第１実施例について説明する。
【００６１】
＜実施例の構成＞
始めに、図１を参照し、画像表示装置１０の構成について説明する。ここに、図１は、画像表示装置１０の概念図である。
【００６２】
図１において、画像表示装置１０は、制御装置１００、表示ユニット２００及び回転角センサ３００を備え、利用者１に対し表示ユニット２００を介して画像情報ＩＮＦＯを表示する装置であり、本発明に係る「画像表示装置」の一例である。尚、画像情報ＩＮＦＯは、後述するように複数の部分画像情報ＩＮＦＯ＿ｉ（ｉは識別子であり、本実施例では１、２、３のいずれかの値を採る）の総体概念であり、文字、画像、映像のいずれであってもよいし、それらが混在したものであってもよい。画像表示装置１０の用途は様々であるが、本実施例では、利用者１が図示せぬ車両の運転者であり、画像表示装置１０が当該車両の運転を支援するための情報を表示するための画像表示装置であるとする。
【００６３】
制御装置１００は、ビデオＡＳＩＣ（Application Specific Integrated Circuit）やレーザドライバＡＳＩＣ等の制御回路を有するコンピュータ装置である。制御装置１００は、本発明に係る「制御手段」及び「決定手段」の一例として機能する。制御装置１００の詳細な構成については後述する。
【００６４】
表示ユニット２００は、利用者１に対し画像情報ＩＮＦＯを表示する（言い換えれば、利用者１に画像情報ＩＮＦＯを視認させる）装置である。ここで、図２を参照し、画像表示装置１０における表示ユニット２００の構成について説明する。ここに、図２は、表示ユニット２００の構成を概略的に示した図である。
【００６５】
図２に示すように、表示ユニット２００は、主として、光源ユニットＬＤＵ、スキャン機構ＯＳＣ、ホログラム素子ＨＯＥ及びビームスプリッタＢＳを備える。表示ユニット２００は、画像情報ＩＮＦＯに対応する画像情報光を、利用者１の眼球２における網膜４に投影することで画像を視認させる、所謂網膜直接投影装置である。例えば、表示ユニット２００は、車両搭載用のヘッドマウントディスプレイ（ＨＭＤ）として利用される。
【００６６】
光源ユニットＬＤＵは、赤色ＬＤ（レーザダイオード）、緑色ＬＤ及び青色ＬＤ等を有し、赤色、緑色及び青色のレーザ光（以下では、単に「光」とも表記する。）を出射する。この光源ユニットＬＤＵは、制御装置１００により画像情報ＩＮＦＯに応じた各レーザ光の強度変調処理が行われると、係る強度変調後のレーザ光を出射する構成となっている。光源ユニットＬＤＵは、本発明における「出射手段」の一例に相当する。
【００６７】
光源ユニットＬＤＵから出射されたレーザ光は、スキャン機構ＯＳＣに入射する。スキャン機構ＯＳＣは、ミラーやアクチュエータなどを具備して構成され、光源ユニットＬＤＵから出射されたレーザ光をホログラム素子ＨＯＥに向けて偏向する。スキャン機構ＯＳＣは、利用者１に対して表示すべき画像情報ＩＮＦＯを利用者１の網膜４上に描画するべく、レーザ光を照射する網膜上の位置（照射位置）を変更するためのスキャン動作を行う。
【００６８】
ホログラム素子ＨＯＥは、透過型の光学素子であり、スキャン機構ＯＳＣからのレーザ光を集光して、ビームスプリッタＢＳに向けて出射する。ホログラム素子ＨＯＥは、本発明における「光学素子」の一例に相当する。
【００６９】
ビームスプリッタＢＳは、一例としてはハーフミラーであり、ホログラム素子ＨＯＥからのレーザ光を、利用者１の眼球２に向けて反射する。これにより、レーザ光が利用者１における瞳孔３の近傍（瞳孔上も含むものとする。以下同様とする）に集光され、レーザ光が利用者１の網膜４に照射されることとなる。その結果、表示ユニット２００によって形成された画像情報ＩＮＦＯが、利用者１に視認されることとなる。
【００７０】
尚、表示ユニット２００は、レーザ光を瞳孔近傍に一旦集光させるといった点に関し、マックスウェル視の原理を利用している。マックスウェル視は、画像に対応する光を一旦瞳孔の中心で収束させてから網膜上に投影する方法であり、この方法によれば、水晶体の調節機能に影響されずに画像を観察することができる。
【００７１】
ここで、図３を参照し、ホログラム素子ＨＯＥの作用について補足する。ここに、図３は、ホログラム素子ＨＯＥを介した画像情報光の集光状態の模式図である。尚、同図において、図２と重複する箇所には同一の符号を付してその説明を適宜省略することとする。或いは、図２と重複する箇所には符号を表示することなく、その説明を適宜省略することとする。
【００７２】
図３において、本実施例に係るホログラム素子ＨＯＥには、３つのホログラム領域が形成されている。各ホログラム領域は、概ね同一の形状及びサイズを有しており、互いに重ならない位置に形成されている。これら複数のホログラム領域は、夫々、入射光を集光する機能及び入射光を偏向する機能を有している。具体的には、各ホログラム領域は、夫々異なる方向に光を偏向させ、夫々異なる位置に焦点を形成させる。
【００７３】
これにより、図３に示すように、ホログラム素子ＨＯＥの第１のホログラム領域は点Ｆ１に焦点（以下、「焦点Ｆ１」とする）を生成し、第２のホログラム領域は点Ｆ２に焦点（以下、「焦点Ｆ２」とする）を生成し、第３のホログラム領域は点Ｆ３に焦点（以下、「焦点Ｆ３」とする）を生成する。尚、焦点Ｆ１及びＦ２については、図２にも例示されている。
【００７４】
光源ユニットＬＤＵ及びスキャン機構ＯＳＣを介してホログラム素子ＨＯＥに入射する画像情報光のうち、この第１のホログラム領域を通過する画像情報光は、画像情報ＩＮＦＯの一部をなす第１部分画像情報ＩＮＦＯ＿１に対応する第１部分画像情報光であり、同様に、第２及び第３のホログラム領域を通過する画像情報光は、夫々第２部分画像情報ＩＮＦＯ＿２及び第３部分画像情報ＩＮＦＯ＿３に対応する第２部分画像情報光及び第３部分画像情報光である。第１乃至第３部分画像情報光は、夫々本発明に係る「部分画像情報光」の一例に相当する。
【００７５】
ホログラム素子ＨＯＥに形成された各ホログラム領域は、各ホログラム領域を通過した各部分画像情報光が、同時に瞳孔３を通過することのないように、ある程度離れた位置に焦点Ｆ１〜Ｆ３を生成する。そのため、理想的には、異なるホログラム領域を通過した画像情報光に対応する画像情報が同時に視認されることはない。
【００７６】
より具体的には、第１のホログラム領域による焦点Ｆ１は、利用者１の眼球２が利用者１の頭部正面を向いている場合の瞳孔位置に対応する位置に生成される。同様に、第２及び第３のホログラム領域による焦点Ｆ２及びＦ３は、眼球２が頭部正面に対し夫々左及び右を向いている場合の瞳孔位置に対応する位置に生成される。
【００７７】
従って、利用者１の眼球２が頭部正面を向いている場合には、理想的には、第１のホログラム領域を介した第１部分画像情報光のみが瞳孔３の近傍に集光され、網膜４に照射される。即ち、他のホログラム領域を介した部分画像情報光は網膜上に照射されない。この場合、利用者１は、第１のホログラム領域を介した第１部分画像情報光に対応する第１部分画像情報ＩＮＦＯ＿１のみを視認することができる。
【００７８】
一方、利用者１の眼球２が頭部正面に対して左又は右を向いている場合には、第２のホログラム領域を介した第２部分画像情報光又は第３のホログラム領域を介した第３部分画像情報光のみが瞳孔３の近傍に集光され、網膜４に照射される。即ち、他のホログラム領域を介した部分画像情報光は網膜上に照射されない。この場合、利用者１は、第２のホログラム領域を介した第２部分画像情報光に対応する第２部分画像情報ＩＮＦＯ＿２又は第３のホログラム領域を介した第３部分画像情報光に対応する第３部分画像情報ＩＮＦＯ＿３のみを視認することができる。
【００７９】
ここで、利用者１における各部分画像情報の見え方について、図４を参照して視覚的に説明する。ここに、図４は、利用者１の視野における各部分画像情報の表示態様を説明する図である。尚、同図において、図２と重複する箇所には同一の符号を付してその説明を適宜省略することとする。
【００８０】
図４において、表示ユニット２００のホログラム素子ＨＯＥにおける第１のホログラム領域、第２のホログラム領域及び第３のホログラム領域は、利用者１の視野領域において、夫々表示スポットｓｐｔ＿１、表示スポットｓｐｔ＿２及び表示スポットｓｐｔ＿３の各表示スポットを形成する。表示スポットは、各部分画像情報光の網膜上の最大照射領域に相当し、各部分画像情報の最大表示領域に相当する。即ち、第１部分画像情報ＩＮＦＯ＿１、第２部分画像情報ＩＮＦＯ＿２及び第３部分画像情報ＩＮＦＯ＿３は、夫々第１表示スポットｓｐｔ＿１、第２表示スポットｓｐｔ＿２及び第３表示スポットｓｐｔ＿３の内部に表示される（厳密には、表示されているように利用者に視認される）。
【００８１】
尚、ホログラム領域により形成される表示スポットは、ホログラム素子ＨＯＥにおけるホログラム領域の構成の仕方により、様々な態様を採り得る。図５は、表示スポットの他の例を概念的に表す図である。
【００８２】
図５において、表示スポットｓｐｔ＿１’、表示スポットｓｐｔ＿２’、表示スポットｓｐｔ＿３’は、図４における表示スポットｓｐｔ＿１、表示スポットｓｐｔ＿２及び表示スポットｓｐｔ＿３に夫々対応する。ここで、この例では、ホログラム素子ＨＯＥに、これら表示スポットｓｐｔ＿１’、表示スポットｓｐｔ＿２’及び表示スポットｓｐｔ＿３’に対応するホログラム領域以外にもホログラム領域が形成される。それらのホログラム領域を使用した場合には、図中破線枠として示される位置に表示スポットを形成することができる。即ち、利用者１への画像情報ＩＮＦＯの表示に利用される表示スポットは、ホログラム素子ＨＯＥに形成されるホログラム領域の一部に対応するものであってもよい。また、表示スポットの形状はどのようなものであってもよく、例えば、図示する円形でなく四角形又は矩形であってもよい。
【００８３】
図１に戻り、回転角センサ３００は、利用者１の頭部回転角θｈを検出するセンサである。頭部回転角θｈは、利用者１の身体正面方向に対する頭部の相対回転角である。身体正面方向は、本発明に係る「基準方向」の一例であり、頭部回転角θｈは、本発明に係る「回転量」の一例である。回転角センサ３００としては、例えばジャイロセンサ等を利用することができる。制御装置１００及び回転角センサ３００により、本発明に係る「画像表示制御装置」の一例が実現される。
【００８４】
ここで、図６を参照し、頭部回転角θｈについて視覚的に説明する。ここに、図６は、利用者１を上から見た図である。
【００８５】
図６において、図６（ａ）は、利用者１が基準方向としての身体正面方向（図示破線Ｌ＿ｂｄ参照）を向いている場合を示している。これに対して、図６（ｂ）は、利用者１が頭部を左に角度θだけ回頭した場合が示される。この場合、頭部正面方向は、図示破線Ｌ＿ｈｄとなる。頭部回転角θｈとは、この破線Ｌ＿ｂｄと破線Ｌ＿ｈｄとがなす角度であり、図ではθｈ＝θである。尚、利用者１の瞳孔３との関係で言えば、利用者１が眼球２を動かさなければ、頭部正面方向が正面視の方向となる。即ち、図６（ｂ）を例に採れば、図示破線Ｌ＿ｈｄの方向に、先述した表示スポットｓｐｔ＿１があり、その左右に夫々表示スポットｓｐｔ＿２及びｓｐｔ＿３がある。
【００８６】
尚、頭部回転角θｈは、必ずしも水平方向の回転角でなくともよい。このことを、図７を参照して説明する。ここに、図７は、利用者１を側方から見た図である。
【００８７】
図７において、図７（ａ）は、利用者１が基準方向としての身体正面方向（図示破線Ｌ＿ｂｄ参照）を向いている場合を示している。これに対して、図７（ｂ）は、利用者１が頭部を上に角度θだけ回頭した場合が示される。この場合、頭部正面方向は、図示破線Ｌ＿ｈｄとなる。この場合、頭部回転角θｈとは、この破線Ｌ＿ｂｄと破線Ｌ＿ｈｄとがなす角度であり、図ではθｈ＝θである。このように、頭部回転角は、利用者１の頭部の上下方向の回転角であってもよい。また、左右方向と上下方向とが組み合わさった方向への回転角であってもよい。
【００８８】
尚、頭部回転角θｈは、身体正面方向に対する頭部の相対回転角であるから、厳密には、利用者１の身体の回転角を検出する手段（回転角センサ３００と同様にジャイロセンサを利用可能である）が必要となる。具体的には、回転角センサ３００と身体の回転角検出手段との間で原点を同期させておくことにより、頭部の相対回転角が両者の検出角の差分として検出される。しかしながら、本実施例は車両搭載時の情報表示を想定しており、利用者１はシートに着座しシートベルトを装着している。従って、身体正面方向は、別途検出手段を有さずとも固定されているとみなし得る。即ち、身体正面方向に対する利用者１の頭部の相対回転角たる頭部回転角θｈとして、回転角センサ３００の検出値をそのまま利用することができる。無論、身体の回転角を検出する手段（例えば、ジャイロセンサ等の回転角センサ）を別途備える構成としてもよく、その場合、より精度良く頭部回転角θｈを検出し得ることは言うまでもない。
【００８９】
次に、図８を参照し、制御装置１００の詳細な構成について説明する。ここに、図８は、制御装置１００のブロック図である。尚、同図において、図１と重複する箇所には同一の符号を付してその説明を適宜省略することとする。
【００９０】
図８において、制御装置１００は、状況判断部１１０、表示内容決定部１２０、実対象検出部１３０、表示スポット決定部１４０、相対回転角検出部１５０、表示サイズ決定部１６０、表示データ生成部１７０及び表示データ合成部１８０の各処理ユニットを有する。
【００９１】
状況判断部１１０は、例えば各種センサ、カーナビゲーション装置、車載カメラ及び入力デバイス等から情報を取得し、車両の走行状況を判断する。
【００９２】
例えば、状況判断部１１０は、車速センサから車速を、外気温センサから外気温を、燃料残量センサから燃料残量を、車載レーダから自車両と前方車両又は後続車両との距離に関する情報を、また集音マイクから自車両周辺の音声に関する情報を、夫々取得してもよい。また、状況判断部１１０は、例えば、カーナビゲーション装置から車両の現在位置、目的地までの経路、周辺施設の情報等を夫々取得してもよい。また、状況判断部１１０は、例えば、車載カメラから車両前方、側方又は後方の画像データを取得してもよい。或いは、状況判断部１１０は、各種入力デバイスの操作情報を取得してもよい。各種入力デバイスの操作情報とは、分かり易く言えば、利用者１が欲している情報の種類を特定するための情報等を意味する。例えば、予めプリセット情報として、複数の情報の組み合わせが定義されている場合等には、利用者１がどのプリセット情報を選択したかを入力デバイスの操作情報として取得してもよい。状況判断部１１０は、これら各種の経路で取得された各種情報やデータに基づいて、車両の現在の総合的な走行状況や利用者１の要求事項等を判断する。
【００９３】
表示内容決定部１２０は、状況判断部１１０により判断された車両の走行状況や利用者１の要求事項等に基づいて、表示ユニット２００により形成される表示スポットｓｐｔ＿ｉ（ｉは識別子であり、本実施例では１、２、３のいずれかの値を採る）に表示させるべき各部分画像情報ＩＮＦＯ＿ｉの内容を決定する。
【００９４】
実対象検出部１３０は、部分画像情報ＩＮＦＯ＿ｉを重ね合わせる実対象の方向を検出する。具体的な事例としては、画像情報として車両の走行路に位置する周辺施設の情報を表示する場合、車両が走行中であれば、利用者１の視野領域における周辺施設の位置は時々刻々と変化する。従って、部分画像情報として当該施設の施設名を表示する場合、表示スポットが複数あれば、その部分画像情報を表示すべき表示スポットもまた、車両の走行状況に応じて時々刻々と変化する。実対象検出部１３０は、そのような、部分画像情報を重ね合わせる実対象の方向を状況判断部１１０からの情報を基に検出する。
【００９５】
尚、このような実対象検出部１３０の効果は、画像表示装置１０を、利用者１の視野領域に画像情報ＩＮＦＯを重ね合わせることによって一種のＡＲ（拡張現実）を実現する場合に顕著に発揮される。一方、車速や外気温や目的地までの距離等、予め表示スポットを決定しておくことができる部分画像情報（言い換えれば、部分画像情報を表示すべき表示スポットが車両の走行条件に影響されない部分画像情報）のみを表示する場合、実対象検出部１３０は必ずしも必要ない。
【００９６】
表示スポット決定部１４０は、実対象検出部１３０により検出される実対象の方向と、相対回転角検出部１５０により検出される頭部回転角θｈとに基づいて、複数の表示スポットの中から利用者１の意思に沿った一の表示スポット（以下、適宜「メイン表示スポット」とする）及び実際に部分画像情報の表示に利用する表示スポットを決定する。
【００９７】
相対回転角検出部１５０は、回転角センサ３００から利用者１の頭部回転角θｈを取得する。
【００９８】
表示サイズ決定部１６０は、利用者１の頭部の回転角θｈに基づいて、表示スポット決定部１４０にて表示に利用される旨が決定された表示スポットに表示する部分画像情報ＩＮＦＯ＿ｉの表示サイズを決定する。尚、この部分画像情報の表示サイズとは、本発明に係る「部分画像情報光の照射領域」の一例である。
【００９９】
表示データ生成部１７０は、表示内容決定部１２０で決定された表示内容、表示スポット決定部１４０で決定された表示スポット及び表示サイズ決定部１６０で決定された表示サイズに基づいて、表示スポット毎に部分画像情報ＩＮＦＯ＿ｉの表示データを生成する。
【０１００】
表示データ合成部１８０は、表示データ生成部１７０により生成された表示スポット毎の表示データを合成し、制御用表示データとして表示ユニット２００に送信する。表示ユニット２００では、この制御用表示データに従って光源ユニットＬＤＵ及びスキャン機構ＯＳＣが駆動され、表示スポット毎に部分画像情報光の照射領域が制御される。
【０１０１】
＜実施例の動作＞
次に、実施例の動作について説明する。
【０１０２】
＜運転席から見た表示スポットの様子＞
始めに、図９を参照し、車両の運転席から見た表示スポットの様子について説明する。ここに、図９は、実際の表示スポットの配置を示す図である。
【０１０３】
図９において、運転席に着座する利用者１の前方に広がる視野領域が示される。
【０１０４】
ここで、利用者１の頭部回転角θｈが０°、即ち、頭部が身体正面を向いている場合、第１表示スポットｓｐｔ＿１は、利用者１の身体正面に形成され、第２表示スポットｓｐｔ＿２は、第１表示スポットｓｐｔ＿１の左側（左コンソール付近）において第１表示スポットｓｐｔ＿１に隣接し、第３表示スポットｓｐｔ＿３は、第１表示スポットｓｐｔ＿１の右側（右Ａピラー付近）において第１表示スポットｓｐｔ＿１に隣接して形成される。第２表示スポットｓｐｔ＿２及び第３表示スポットｓｐｔ＿３は、夫々利用者１が頭部を動かさずに眼球２のみを左及び右に動かすことによって物体を視認できるエリアに形成される。既に述べたように、このような表示スポットの配置態様は、ホログラム素子ＨＯＥにおけるホログラム領域の構成によって実現される。この際、例えば、車種や利用者１のシートポジション等を考慮に入れて、ホログラム素子３におけるホログラム領域の配置位置や偏向方向や集光位置などの設計が行われてもよい。尚、これ以降、この表示スポットの形成位置を適宜「基準形成位置」と表現することとする。
【０１０５】
この状態で利用者１の視線方向が頭部正面を向いていれば、即ち視線が身体正面を向いていれば、利用者１の眼球２の瞳孔３には、第１表示スポットｓｐｔ＿１内の第１部分画像情報光のみが通過するため、図示するように、利用者１には当該第１部分画像情報光に対応する第１部分画像情報ＩＮＦＯ＿１（図示ハッチング部分）が視認される。この際、隣接する第２表示スポットｓｐｔ＿２及び第３表示スポットｓｐｔ＿３の部分画像情報光は利用者１の瞳孔３を通過しないため、第２表示スポットｓｐｔ＿２に形成される第２部分画像情報ＩＮＦＯ＿２及び第３表示スポットｓｐｔ＿３に形成される第３部分画像情報ＩＮＦＯ＿３は、利用者１には視認されない。また、利用者１が視線を頭部正面から左側に移せば、第２表示スポットｓｐｔ＿２に形成される第２部分画像情報ＩＮＦＯ＿２のみが、同じく頭部正面から右側に移せば、第３表示スポットｓｐｔ＿３に形成される第３部分画像情報ＩＮＦＯ＿３のみが、夫々利用者１に視認される。このような選択的画像表示は、網膜直接投影装置たる画像表示装置１０の特徴である。
【０１０６】
尚、図９では、第１表示スポットｓｐｔ＿１の全域に第１部分画像情報ＩＮＦＯ＿１が形成されているが、第１表示スポットｓｐｔ＿１は、第１のホログラム領域を最大限に使用して部分画像情報を表示する場合の部分画像情報光の照射領域に対応しており、表示スポット内の部分画像情報のサイズ（即ち、一義的に部分画像情報光の照射領域）は、表示サイズ決定部１６０や表示データ生成部１７０の作用により自由に決定され得る。
【０１０７】
画像表示装置１０では、このように複数の表示スポットが隣接して形成される。このため、各表示スポットを的確に利用して一種のＡＲ（拡張現実）が好適に実現され得る。例えば、隣り合う表示スポット間に間隙がある場合、この間隙部分には部分画像情報を表示することができないため、画像情報の表示効率が低下する。画像表示装置１０では、そのような表示効率の低下が極力抑制されているのである。
【０１０８】
一方、このように複数の表示スポットが間隙無く隣接している場合には特に、別の問題が生じ得る。この問題について、図１０を参照して説明する。ここに、図１０は、網膜直接投影装置における画像情報表示上の問題点を例示する図である。尚、同図において、図９と重複する箇所には同一の符号を付してその説明を適宜省略することとする。
【０１０９】
図１０において、利用者１が、頭部を動かすことなく視線のみを、図示破線矢線にて示される、第１表示スポットｓｐｔ＿１と第２表示スポットｓｐｔ＿２との境界付近に移した場合を考える。この場合、利用者１の瞳孔３の微妙な動きによっては、第１部分画像情報ＩＮＦＯ＿１に加えて第２部分画像情報ＩＮＦＯ＿２の右端部分が視認され得る（図１０ではこの様子が示される）。或いは、第１部分画像情報ＩＮＦＯ＿１と第２部分画像情報ＩＮＦＯ＿２とが相互にハンチング表示される可能性がある。このような表示画像（視認画像）の相互干渉は、利用者１の注意力の低下を招き易く、折角表示した部分画像情報の訴求効果が低下して表示品質の低下に繋がる。
【０１１０】
実施例に係る画像表示装置１０では、制御装置１００により実行される表示制御処理によって、係る問題が好適に解決される。
【０１１１】
＜表示制御処理の流れ＞
始めに、図１１を参照し、表示制御処理の流れについて説明する。ここに、図１１は表示制御処理のフローチャートである。尚、図８に例示される各処理ユニットは、コンピュータ装置としての制御装置１００が、各種記録媒体（例えば、ＲＯＭ、ＵＳＢメモリ、ＨＤ、光ディスク等）に記録される制御プログラムを実行することにより機能する構成となっている。この制御プログラムは、本発明に係る「コンピュータプログラム」の一例であり、制御プログラムが記録された記録媒体は、本発明に係る「記録媒体」の一例である。
【０１１２】
図１１において、表示制御処理が開始されると、相対回転角検出部１５０により頭部回転角θｈが取得される（ステップＳ１０１）。
【０１１３】
頭部回転角θｈが取得されると、表示スポット決定部１４０により、部分画像情報の表示対象となる表示スポットが決定され、決定された表示スポットの中から一の表示スポットｓｐｔ＿ｉが選択される（ステップＳ１０２）。
【０１１４】
表示スポットｓｐｔ＿ｉが選択されると、表示サイズ決定部１６０により表示スポットｓｐｔ＿ｉの表示変化量ｙ＿ｉ（ｉは識別子であり、本実施例では１、２、３のいずれかの値を採る）が算出される（ステップＳ１０３）。表示変化量ｙ＿ｉとは、表示スポットｓｐｔ＿ｉにおける、部分画像情報ＩＮＦＯ＿ｉのスポット配列方向の減少幅を意味する。表示変化量ｙ＿ｉが算出されると、更に表示サイズ決定部１６０により表示スポットｓｐｔ＿ｉの表示可能領域Ａ＿ｉ（ｉは識別子であり、本実施例では１、２、３のいずれかの値を採る）が算出される（ステップＳ１０４）。表示可能領域Ａ＿ｉは、予め表示変化量ｙ＿ｉに対応付けられた値としてＲＯＭに格納されている。但し、表示可能領域Ａ＿ｉは、表示スポットｓｐｔ＿ｉの表示サイズと、表示変化量ｙ＿ｉとに基づいた幾何学計算により算出されてもよい。
【０１１５】
表示可能領域Ａ＿ｉが算出されると、現時点で表示スポットｓｐｔ＿ｉに表示されている部分画像情報ＩＮＦＯ＿ｉが、ステップＳ１０４で算出された表示可能領域Ａ＿ｉに収まるか否かが判定される。現在表示されている部分画像情報ＩＮＦＯ＿ｉが表示可能領域Ａ＿ｉに収まらない場合（ステップＳ１０５：ＮＯ）、表示内容決定部１２０により当該表示スポットの現在の表示内容から、優先順位の低い、表示可能領域Ａ＿ｉに収まらない分の情報が削除される（ステップＳ１０８）。尚、優先順位は、予め設定された優先基準に従って判断される。
【０１１６】
一方、現在表示されている部分画像情報ＩＮＦＯ＿ｉが表示可能領域Ａ＿ｉに収まる場合（ステップＳ１０５：ＹＥＳ）、表示サイズ決定部１６０は、更に情報を追加しても部分画像情報が表示可能領域Ａ＿ｉに収まるか否かを判定する（ステップＳ１０６）。更に情報を追加し得る場合（ステップＳ１０６：ＹＥＳ）、表示内容決定部１２０により現時点で表示されていない情報の中から、優先順位の高い、表示可能領域Ａ＿ｉに収まる限りの情報が追加される（ステップＳ１０７）。
【０１１７】
優先順位の低い情報が削除されるか（ステップＳ１０８）、優先順位の高い情報が追加された場合（ステップＳ１０７）、表示データ生成部１７０により、表示スポットｓｐｔ＿ｉが再構築される（ステップＳ１０９）。表示スポットの再構築とは、表示スポット内の表示可能領域Ａ＿ｉにおける、部分画像情報ＩＮＦＯ＿ｉの内容及び配列態様等を設定し直すことを意味する。
【０１１８】
表示スポットｓｐｔ＿ｉが再構築されるか、或いは現在表示されている部分画像情報ＩＮＦＯ＿ｉが表示可能領域Ａ＿ｉに収まるものの情報を追加すると表示可能領域Ａ＿ｉに収まらない場合（ステップＳ１０６：ＮＯ）、表示スポットｓｐｔ＿ｉの処理が終了し、未処理の表示スポットが存在するか否かが判定される（ステップＳ１１０）。具体的には、識別子ｉに相当するカウンタが「１」インクリメントされ、カウンタが最大値（即ち、ここでは「３」である）以下であるか否かが判定される。尚、表示スポット決定部１４０により表示に供されない旨が決定された表示スポットについては、表示データ生成部１７０により、部分画像情報が無いものとして処理される。その結果、光源ユニットＬＤＵからは、この表示スポットの部分画像情報に対応する部分画像情報光は出射されない。
【０１１９】
未処理の表示スポットが有る場合（ステップＳ１１０：ＹＥＳ）、処理はステップＳ１０２に戻り、表示スポットｓｐｔ＿ｉの選択から上述した処理が繰り返される。全ての表示スポットについて処理が終了すると（ステップＳ１１０：ＮＯ）、表示制御処理が終了する。尚、表示制御処理は、制御装置１００が所定周期で繰り返し実行する処理であり、所定周期に対応する時間経過の後に、処理は再びステップＳ１０１から実行される。
【０１２０】
＜表示制御処理の具体的作用＞
以下、適宜図面を参照して、図１１に例示された表示制御処理の具体的な作用について説明する。
【０１２１】
＜利用者１が頭部を殆ど回転させない場合＞
始めに、図１２を参照し、利用者１が頭部を身体正面方向から殆ど回転させない場合について説明する。尚、本実施例では、頭部回転角θｈの絶対値｜θｈ｜が３０°未満である場合を、「利用者１が頭部を殆ど回転させない場合」として定義している。図１２は、θｈ＝０°の場合の各表示スポットの表示画像を示す図である。尚、同図において、図９と重複する箇所には同一の符号を付してその説明を適宜省略することとする。
【０１２２】
図１２には、頭部回転角θｈの絶対値｜θｈ｜が０°である場合の各表示スポットの様子が示される。頭部回転角θｈの絶対値｜θｈ｜が０°である場合、各表示スポットの形成位置は、図９と同様の基準形成位置のままである。
【０１２３】
ここで、利用者１が頭部を殆ど回転させない場合（即ち、本実施例では、頭部回転角θｈの絶対値｜θｈ｜が３０°未満である場合）、利用者１の視線の向きを正確に推定することは容易ではない。先に述べたように、各表示スポットは、元々利用者１が視線の向きを変えるのみで視認可能な位置に形成されているからである。このような場合において表示スポット同士（即ち、部分画像情報同士）の相互干渉を抑制するため、本実施例では、第１表示スポットｓｐｔ＿１を利用者１の意思に沿った表示スポット（即ち、メイン表示スポット）として、第１部分画像情報ＩＮＦＯ＿１を第１表示スポットｓｐｔ＿１の全域を使用して表示する。即ち、「３０°」という値は、本発明に係る第１基準値の一例である。
【０１２４】
尚、図中では部分画像情報が一貫してハッチング表示されるが、厳密に言えば、各表示スポットの部分画像情報は、図示ハッチング表示のように表示スポットにおいて表示面積を明確に定義できる表示態様で表示される訳ではない。例えば、シンボルマーク、文字情報及び数字等が混在した情報を想定する場合、表示スポットを覆い尽くすようにこれらを表示することは現実的でない。即ち、表示サイズ決定部１６０により決定される表示サイズの実践的態様は様々であってよい。例えば、表示スポットの全域を利用して部分画像情報を表示する図示第１表示スポットｓｐｔ＿１の場合、第１部分画像情報を構成する各種情報の外郭を結ぶ包絡線の内側の面積を一種の表示サイズとして扱ってもよい。また、表示サイズとは、表示される情報の数や情報量であってもよい。
【０１２５】
一方、第２表示スポットｓｐｔ＿２の第２部分画像情報ＩＮＦＯ＿２及び第３表示スポットｓｐｔ＿３における第３部分画像情報ＩＮＦＯ＿３は、第１表示スポットｓｐｔ＿１がメイン表示スポットとして扱われることから、その表示サイズが表示スポットの面積に相当する最大値から減じられる。この際特に、利用者１が第１表示スポットｓｐｔ＿１と隣接する第２及び第３表示スポットとの境界付近に視線を移しても第２及び第３表示スポットの部分画像情報が第１部分画像情報ＩＮＦＯ＿１と相互干渉しないように、第２及び第３部分画像情報と第１部分画像情報ＩＮＦＯ＿１との間に間隙が形成されるように、第２及び第３部分画像情報の表示サイズが減少させられる。尚、この間隙が、表示変化量ｙである。即ち、この場合、表示変化量ｙ＿２及びｙ＿３が適切な値に設定される。
【０１２６】
＜利用者１が頭部を小さく回転させた場合＞
次に、図１３を参照し、利用者１が頭部を身体正面方向から小さく回転させた場合について説明する。尚、本実施例では、頭部回転角θｈの絶対値｜θｈ｜が３０°以上６０°未満である場合を、「利用者１が頭部を小さく回転させた場合」として定義している。図１３は、｜θｈ｜＝３０°の場合の各表示スポットの表示画像を示す図である。尚、同図において、図１２と重複する箇所には同一の符号を付してその説明を適宜省略することとする。
【０１２７】
図１３には、頭部回転角θｈの絶対値｜θｈ｜が３０°である場合の各表示スポットの様子が示される。頭部回転角θｈの絶対値｜θｈ｜が３０°である場合、各表示スポットの形成位置は、図１２に示される基準形成位置に対し、順回転方向に全体的に３０°シフトする。図１３では頭部が左に回転した場合を示しており、各表示スポットは、夫々の位置関係を保持したまま順回転方向（左方向）に３０°シフトしている。
【０１２８】
ここで、利用者１が頭部を少し回転させた場合（即ち、本実施例では、頭部回転角θｈの絶対値｜θｈ｜が３０°以上６０°未満である場合）、利用者１は正面又は左を視認する可能性があり、視線の向きを正確に推定することは依然として容易ではないが、利用者１が逆回転方向（即ち、この場合、右方向）へ視線を向ける可能性は著しく低いと考えることができる。即ち、視線の向きを絞り込むことは可能である。
【０１２９】
そこで、制御装置１００（表示スポット決定部１４０及び表示サイズ決定部１６０）は、基準方向に対して右側に位置する第３表示スポットｓｐｔ＿３を部分画像情報の表示対象から外し、一時的に不使用状態とする。第１表示スポットｓｐｔ＿１の最大表示、第２表示スポットｓｐｔ＿２の減少表示については、図１２の場合と同様である。
【０１３０】
＜利用者１が頭部を大きく回転させた場合＞
次に、図１４を参照し、利用者１が頭部を身体正面方向から大きく回転させた場合について説明する。尚、本実施例では、頭部回転角θｈの絶対値｜θｈ｜が６０°以上である場合を、「利用者１が頭部を大きく回転させた場合」として定義している。図１４は、｜θｈ｜＝６０°の場合の各表示スポットの表示画像を示す図である。尚、同図において、図１３と重複する箇所には同一の符号を付してその説明を適宜省略することとする。
【０１３１】
図１４には、頭部回転角θｈの絶対値｜θｈ｜が６０°である場合の各表示スポットの様子が示される。頭部回転角θｈの絶対値｜θｈ｜が６０°である場合、各表示スポットの形成位置は、図１２に示される基準形成位置に対し、順回転方向に全体的に６０°シフトする。図１４では頭部が左に回転した場合を示しており、各表示スポットは、夫々の位置関係を保持したまま順回転方向（左方向）に６０°シフトしている。
【０１３２】
ここで、利用者１が頭部を大きく回転させた場合（即ち、本実施例では、頭部回転角θｈの絶対値｜θｈ｜が６０°以上である場合）、利用者１は明確な意思を持って左に視線を向けていると考えることができる。即ち、視線の向きを更に絞り込むことができる。
【０１３３】
そこで、制御装置１００（表示スポット決定部１４０及び表示サイズ決定部１６０）は、基準方向に対して右側に位置する第３表示スポットｓｐｔ＿３を部分画像情報の表示対象から外し、一時的に不使用状態とすると共に、利用者１の意思に沿った表示スポット、即ちメイン表示スポットを、第１表示スポットｓｐｔ＿１から第２表示スポットｓｐｔ＿２に切り替える。即ち、第２表示スポットｓｐｔ＿２の第２部分画像情報ＩＮＦＯ＿２を第２表示スポットｓｐｔ＿２の表示領域全域を使用して表示し、１表示スポットｓｐｔ＿１の第１部分画像情報ＩＮＦＯ＿１の表示サイズを、第２部分画像情報ＩＮＦＯ＿２と干渉しないように減少させる。即ち、「６０°」という値は、本発明に係る第２基準値の一例である。
【０１３４】
ここで特に、第１部分画像情報ＩＮＦＯ＿１の右端部分については、非表示の第３表示スポットｓｐｔ＿３と干渉する可能性はないものの、利用者１が視線を向ける可能性が低いことから、左端部分と同様に減少させる。図１４では、第１表示スポットｓｐｔ＿１の表示変化量ｙ＿１は、左右均等である。
【０１３５】
以上説明したように、本実施例に係る表示制御処理によれば、利用者１の頭部回転角θｈを利用者１の視線の向きを推定するための判断要素として利用し、利用者１の視線の向きを絞り込むことによって、複数の表示スポットに対応する複数の部分画像情報相互間の表示サイズの相対関係をフレキシブルに且つ的確に変更することができる。このため、表示スポットそのものは、利用者１の視野領域に効率的に形成しつつ、利用者１が実際に視認している表示スポットの部分画像情報を、他の部分画像情報との相互干渉を防止しつつ視認させることができる。即ち、効率的且つ効果的な画像情報の表示を、画像情報の表示品質を低下させることなく実現することができるのである。
【０１３６】
＜第２実施例＞
第１実施例では、利用者１の頭部回転角θｈに対して各表示スポットの部分画像情報の表示サイズを段階的に変化させる例を示したが、頭部回転角θｈに対する表示サイズの変化態様は多様である。第２実施例では、表示サイズを変化させる他の方法について説明する。
【０１３７】
始めに、図１５を参照して、本実施例の説明に使用する用語を説明する。ここに、図１５は、第１及び第２表示スポットの模式図である。尚、同図において、既出の各図と重複する箇所には同一の符号を付してその説明を適宜省略することとする。
【０１３８】
図１５において、第１表示スポットｓｐｔ＿１に第１部分画像情報ＩＮＦＯ＿１が表示されており（ハッチング部分）、第２表示スポットｓｐｔ＿２に第２部分画像情報ＩＮＦＯ＿２が表示されている（ハッチング部分）とする。
【０１３９】
ここで、利用者１の頭部回転角θに対する表示スポットの表示変化量ｙとし、利用者１の頭部が身体正面方向を向いている場合、即ち、第１表示スポットｓｐｔ＿１の表示サイズが最大である場合の表示スポットの表示変化量をＰ（固定値）とする。また、一方の表示スポットの表示サイズ（左右方向の表示サイズ）がｘだけ増加すると、他方の表示スポットの当該表示サイズがｘだけ減少するとする。また、頭部回転角θｈの変化範囲を０°〜Θ°と仮定する。
【０１４０】
この場合、表示変化量ｙを定義する関数は様々なものが想定されるが、例えば、下記（１）式のように定義することができる。
【０１４１】
ｙ＝Ｐ・（ｃｏｓθ−ｃｏｓΘ）…（１）
ここで、図１６に、上記（１）式に従った表示変化量ｙの変化特性を示す。
【０１４２】
図１６に示されるように、上記（１）式のように表示変化量ｙを定義すると、利用者１が頭部を大きく回転させていない状態では表示変化量ｙは大きく変化せず、利用者１が頭部を大きく回転させた場合に表示変化量ｙが大きくなる。そのため、利用者１が身体正面方向を向いた状態で無意識に（自然に）頭部が揺れる影響を緩和することができる。尚、上記（１）の関数は、一例に過ぎず、例えば、頭部回転角θｈの増加に対して第２表示スポットｓｐｔ＿２の表示変化量ｙを減少させてもよい。
【０１４３】
尚、上記第１及び第２実施例では、一貫して表示スポットが円形であるとしたが、図１７に示されるように、表示スポットは矩形であってもよい。表示スポットが矩形に形成される場合、図示のように、部分画像情報（ＩＮＦＯ＿１及びＩＮＦＯ＿２）もまた矩形であってよい。
【０１４４】
＜第３実施例＞
第１及び第２実施例では、画像表示装置１０を車両に搭載する場合について説明したが、画像表示装置１０の用途は、車載用ＨＭＤ等に限定されない。そのような趣旨に基づいた第３実施例について説明する。第３実施例では、画像表示装置１０をゴルフに利用する場合について説明する。尚、ここでは、ゴルフへの利用を説明するが、その他にも弓道やアーチェリー等、主として利用者が主体的に動作リズムを決定し、且つ頭部の回転動作を伴い得る特定のスポーツ等においては、本発明に係る画像表示装置は顕著に効果的である。
【０１４５】
先ず、図１８を参照して、第３実施例に係る表示スポットの形成例について説明する。ここに、図１８は、利用者１の視野における各部分画像情報の表示態様を説明する図である。尚、同図において、図４と重複する箇所には同一の符号を付してその説明を適宜省略することとする。尚、第３実施例において、第１実施例及び第２実施例と同様な部分については、過去の説明部分を踏襲することとする。
【０１４６】
図１８において、図１８（ａ）は、利用者１（ここでは、プレーヤーである）がピンフラッグに対して正対している場合の表示スポットの様子である。この場合、利用者１の頭部は身体正面方向を向いており、各表示スポットの状態は、第１実施例の図１２と同様となる。即ち、第１表示スポットｓｐｔ＿１の部分画像情報ＩＮＦＯ＿１が最大の表示サイズとなり、第２表示スポットｓｐｔ＿２及び第３表示スポットｓｐｔ＿３については、夫々第２部分画像情報ＩＮＦＯ＿２及び第３部分画像情報ＩＮＦＯ＿３の表示サイズが減少する。尚、図中のピンフラッグは、画像表示装置１０により与えられる画像情報ではなく、利用者１の視野領域に実際に存在する風景である。
【０１４７】
一方、図１８（ｂ）には、利用者１の状態がピンフラッグに正対している状態からアドレス状態（ボールを打つ準備状態）に切り替わった場合の表示スポットの様子が示される。アドレス状態では、ピンフラッグやコース状態を再度確認するために利用者１が頭部を左に回転させる場合がある（尚、右打ちを想定している）。この場合、第１実施例で説明したように、利用者１は左に視線を向けていると判断することができる。尚、頭部回転角θｈとの比較に供される基準値は、第１実施例と異なっていてよい。従って、視線を左に向けた場合に限って画像情報が表示されるように、第２表示スポットｓｐｔ＿２のみが画像表示に利用される。
【０１４８】
また、第１表示スポットｓｐｔ＿１及び第３表示スポットｓｐｔ＿３は、一時的にその使用が停止される。これは、アドレス状態においてはボールに集中する必要があり、第１表示スポットｓｐｔ＿１への部分画像情報の表示は、利用者１の利益にならないためである。また、アドレス状態において利用者１が右に視線を向けることは殆どなく、第３表示スポットｓｐｔ＿３への部分画像情報の表示は非効率となるからである。
【０１４９】
尚、この実施例では、利用者１がコース状態の確認のためにピンフラッグに正対している場合と、プレーのためにアドレス状態にいった場合とを装置側で検出する必要が生じる。このような利用者１の状態の検出は、例えば、利用者１が適宜入力手段を介していずれの状態であるかを装置側に伝達することによって実現されてもよいし、ＧＰＳ等の機能を利用して、利用者１のコース上の位置や向きから、装置側が独自に行ってもよい。
【０１５０】
ここで、図１９を参照し、実際の部分画像情報の例について説明する。ここに、図１９は、図１８の表示スポットにおける画像情報の表示例を説明する図である。尚、同図において、図１８と重複する箇所には、同一の符号を付してその説明を適宜省略することとする。
【０１５１】
図１９において、図１９（ａ）は、利用者１がピンフラッグに正対している場合の表示スポットの様子である。
【０１５２】
この状態では、利用者１が視線をピンフラッグに向けていれば、第１表示スポットｓｐｔ＿１にピンフラッグまでの距離が情報として表示される。また、利用者１が視線をピンフラッグに対して左に向けると、第２表示スポットｓｐｔ＿２に利用者１の心拍数が情報として表示される。更に、利用者１が視線をピンフラッグに対して右に向けると、第３表示スポットｓｐｔ＿３に風速が情報として表示される。従って、利用者１は、自身が所望する情報を、視線を切り替えるだけで入手することができる。
【０１５３】
図１９（ｂ）には、利用者１がアドレス状態に入った場合の表示スポットの様子が示される。この場合、アドレス状態において利用者１が再度確認のためにピンフラッグの方向（即ち、左方向）に頭部を回転させた場合に、第２表示スポットｓｐｔ＿２にピンフラッグまでの距離、心拍数及び風速の情報（即ち、正対時に各表示スポットに分散して表示されていた情報）がまとめて表示される。従って、利用者１は、ボールに集中しつつ、必要な情報を簡便に得ることができる。
【０１５４】
本発明は、上述した実施例に限られるものではなく、請求の範囲及び明細書全体から読み取れる発明の要旨或いは思想に反しない範囲で適宜変更可能であり、そのような変更を伴う画像表示装置、画像表示方法、画像表示制御装置、コンピュータプログラム及び記録媒体もまた本発明の技術的範囲に含まれるものである。
【産業上の利用可能性】
【０１５５】
本発明は、利用者の網膜に画像情報光を照射することによって画像情報を視認させる画像表示装置に適用可能である。
【符号の説明】
【０１５６】
１…利用者、２…眼球、３…瞳孔、４…網膜、１０…画像表示装置、１００…制御装置、２００…表示ユニット、３００…回転角センサ、ＬＤＵ…光源ユニット、ＯＳＣ…スキャン機構、ＨＯＥ…ホログラム素子、ＢＳ…ビームスプリッタ。
【図１】
2014056017.tif 000003
【図２】
2014056017.tif 000004
【図３】
2014056017.tif 000005
【図４】
2014056017.tif 000006
【図５】
2014056017.tif 000007
【図６】
2014056017.tif 000008
【図７】
2014056017.tif 000009
【図８】
2014056017.tif 000010
【図９】
2014056017.tif 000011
【図１０】
2014056017.tif 000012
【図１１】
2014056017.tif 000013
【図１２】
2014056017.tif 000014
【図１３】
2014056017.tif 000015
【図１４】
2014056017.tif 000016
【図１５】
2014056017.tif 000017
【図１６】
2014056017.tif 000018
【図１７】
2014056017.tif 000019
【図１８】
2014056017.tif 000020
【図１９】
2014056017.tif 000021